(57)【要約】【課題】  中央記憶装置へのリンクがまだ確立されていなくても遅延なくデータにアクセスする。【解決手段】  電子データを格納してアクセスして表示する方法であって、該データの第１の部分をメモリタグに格納し、該データの第２の部分を、あるアドレスを有する別個の場所に格納し、該データにアクセスするときには、リーダを使用して前記メモリタグに結合し、該データの第１の部分にアクセスし、該データの第１の部分が画面に表示されている間またはその後に、通信ユニットが前記別個の場所の前記アドレスにリンクして前記データの第２の部分を取得する方法。【選択図】  図５
2005310141.tif 000002
【特許請求の範囲】
【請求項１】
電子データを格納し、アクセスし、表示する方法であって、
該データの第１の部分をメモリタグに格納し、
該データの第２の部分を、あるアドレスを有する別個の場所に格納し、
該データにアクセスするときには、リーダを使用して前記メモリタグに結合し、該データの第１の部分にアクセスし、該データの第１の部分が画面に表示されている間またはその後に、通信ユニットが前記別個の場所の前記アドレスにリンクして前記データの第２の部分を取得するものである方法。
【請求項２】
前記データの前記第２の部分が格納される前記別個の場所の前記アドレスを、該データの前記第１の部分とともに前記メモリタグに格納する請求項１に記載の方法。
【請求項３】
前記データの前記第１の部分は、実質的に遅延なく表示するためにアクセス可能である請求項１または２に記載の方法。
【請求項４】
前記データの前記第１の部分が表示されると、該データの前記第２の部分を前記画面に表示して、該データの表示が連続的であるように表示することをさらに含む請求項１から３のいずれかに記載の方法。
【請求項５】
前記データの前記第２の部分が前記別個の場所から取得される前に、該データの該第２の部分に対する支払いを行うことをさらに含む請求項１から３のいずれかに記載の方法。
【請求項６】
前記データの前記第１の部分は、該データの前記第２の部分より小さいものである請求項１から５のいずれかに記載の方法。
【請求項７】
前記リーダと前記画面と前記通信ユニットとが単一表示装置内へと組み込まれている請求項１から６のいずれかに記載の方法。
【請求項８】
アクセスされる前記電子データが変化した場合には、前記メモリタグに格納された前記データの前記第１の部分を新たなデータで上書きするものである請求項１から７のいずれかに記載の方法。
【請求項９】
アクセスされる前記電子データが変化した場合には、該データの修正された第１の部分が格納された新たなメモリタグに前記メモリタグを置き換える請求項１から７のいずれかに記載の方法。
【請求項１０】
第１の部分と第２の部分とを有する電子データの集合の格納と読み出しと表示のための装置であって、該データの該第１の部分が格納されるメモリタグと、該データの該第２の部分が格納される主データ記憶装置と、該メモリタグの前記データの前記第１の部分と該主記憶装置の前記データの前記第２の部分とにアクセスして該データの該第１の部分を表示した後に該データの該第２の部分を表示するように動作可能なデバイスとを有するものである装置。
【請求項１１】
前記メモリタグは、実質的に遅延なく前記データの前記第１の部分の表示が可能であるように構成されている請求項１１に記載の装置。
【請求項１２】
前記データにアクセスして表示するように動作可能な前記デバイスは、携帯無線デバイスである請求項１１または１２に記載の装置。
【請求項１３】
前記主データ記憶装置は、前記メモリタグの近傍にあるＷＬＡＮの一部である請求項１１または１２に記載の装置。
【請求項１４】
前記主データ記憶装置は、前記メモリタグの近傍から遠くに配置され、インターネットを介してアクセスされるものである請求項１１または１２に記載の装置。
【請求項１５】
情報の集合を表す電子データの構造であって、該電子データは、表示するための第１の部分と表示するための第２の部分とに分割され、該第１の部分は、実質的に即座にアクセス可能な第１の場所に配置されるメモリに格納されるようにされ、前記第２の部分は、該データの該第２の部分にアクセスする際に遅延が生じるような、第１の場所ほど容易にはアクセス可能ではない第２の場所に格納されるようにされるものである、情報の集合を表す電子データの構造。
【請求項１６】
前記第１の場所は、ユーザが物理的にアクセス可能なメモリタグであり、前記第２の場所は、該ユーザから遠隔の主データ記憶装置である請求項１６に記載の電子データの構造。
【請求項１７】
第１の部分と第２の部分とを有する電子データの集合の格納と読み出しと表示のためのサービスを提供する方法であって、メモリタグに格納される前記電子データの集合の前記第１の部分を、該電子データの集合の前記第２の部分にアクセスするためのデータネットワークアドレスとともに提供するステップと、該データネットワークアドレスから前記電子データの集合の前記第２の部分を提供するステップとを含むものであるサービスを提供する方法。
【発明の詳細な説明】
【技術分野】
【０００１】
本発明は、電子データを格納してそれにアクセスする方法とそのための装置とに関する。
【背景技術】
【０００２】
電子データは、中央記憶装置（central location）に格納されて無線ネットワークでアクセスされることが多い。しかしながら、データを提供するように要求されると、中央記憶装置に対するリンクがまだ確立されていない場合には、データにアクセスする際に相当の遅延がある可能性がある。このことは、特に、データが、単に無線ではあるが内蔵のネットワークの別の部分からではなく、インターネットを介してアクセスされる場合に当てはまる。
【発明の開示】
【発明が解決しようとする課題】
【０００３】
本発明は、電子データを格納しそれにアクセスする改良された方法とそれを行う装置とを提供しようとするものである。
【課題を解決するための手段】
【０００４】
本発明の第１の態様によれば、電子データを格納してそれにアクセスする方法であって、
データの第１の部分をメモリタグに格納し、
あるアドレスを有する別個の場所にデータの第２の部分を格納し、
データにアクセスするときには、リーダを使用してメモリタグに結合し、データの第１の部分にアクセスし、データのその第１の部分が画面に表示されている間に、通信ユニットが別個の場所のアドレスにリンクしてデータの第２の部分を取得する方法を提供する。
【０００５】
従来技術に対するこの方法の利点は、データの第１の部分が即座にアクセス可能であることにより、ユーザによるデータへのアクセス要求とデータの表示の開始とに大幅な遅延がないということである。多くの環境では、このことは、ユーザが興味を失いデータを見ることなく立ち去ることとユーザがデータを見ることとの相違を意味する。
【０００６】
データの第２の部分が格納される別個の場所のアドレスを、データの第１の部分とともにメモリタグに格納することが好ましい。
【０００７】
データの第１の部分は、実質的に遅延なく表示するためにアクセス可能である。
【０００８】
本方法は、データの第１の部分が表示されるとすぐに、画面にデータの第２の部分を表示して、データの表示が連続的であるように表示することをさらに含みうる。
【０００９】
または、本方法は、データの第２の部分が別個の場所から取得される前に、データの第２の部分に対する支払いを行うことをさらに含みうる。
【００１０】
一般的に、データの第１の部分は、データの第２の部分より小さい。
【００１１】
リーダと画面と通信ユニットとが単一の表示装置内に組み込まれていることが好ましい。
【００１２】
アクセスされる電子データが変化した場合には、メモリタグに格納されたデータの第１の部分を新たなデータで上書きしてもよく、または、新たなデータが格納された新たなメモリタグにメモリタグを置き換えてもよい。
【００１３】
本発明の第２の態様によれば、第１の部分と第２の部分とを有する電子データの集合の記憶と読み出しと表示のための装置であって、データの第１の部分が格納されるメモリタグと、データの第２の部分が格納される主データ記憶装置と、メモリタグのデータの第１の部分と主記憶装置のデータの第２の部分とにアクセスしデータの第１の部分を表示した後にデータの第２の部分を表示するように動作可能なデバイスとを有する装置が提供される。
【００１４】
データにアクセスしてそれを表示するように動作可能なデバイスは、携帯無線デバイスであることが好ましい。
【００１５】
主データ記憶装置を、メモリタグの近傍でＷＬＡＮに接続するか、または、メモリタグの近傍から遠くに配置することができ、その主データ記憶装置には初期無線リンクを介してアクセスする。
【００１６】
本発明の第３の態様によれば、情報の集合を表す電子データの構造であって、電子データは、表示するための第１の部分と表示するための第２の部分とに分割され、第１の部分は、第１の実質的に即座にアクセス可能な場所に配置されるメモリに格納されるようにされ、第２の部分は、データの第２の部分にアクセスする際に遅延が生じるように第２のそれほど容易にはアクセス可能ではない場所に格納されるものである、電子データの構造が提供される。
【００１７】
第１の場所は、ユーザが物理的にアクセス可能なメモリタグであり、第２の場所は、ユーザから遠隔の主データ記憶装置であることが好ましい。
【００１８】
本発明の第４の態様によれば、第１の部分と第２の部分とを有する電子データの集合の記憶と読み出しと表示のためのサービスを提供することであって、メモリタグに格納される電子データの集合の第１の部分を、電子データの集合の第２の部分にアクセスするためのデータネットワークアドレスとともに提供することと、データネットワークアドレスから電子データの集合の第２の部分を提供することとを含むことが提供される。
【００１９】
サービスの提供は、メモリタグからの電子データの集合の第１の部分と遠隔記憶装置からの電子データの第２の部分とにアクセスするように動作可能なデバイスを提供することをさらに含みうる。
【００２０】
ここで、添付図面を参照して、本発明の方法を実施する装置の実施形態を説明する。
【発明を実施するための最良の形態】
【００２１】
図１は、データを格納してそれにアクセスする方法の例を概略的に示す。絵１０は、画廊において売りに出されているか、または単に展示されている。絵に隣接して、タイトルや画家や媒材（medium）やそれがいつ描かれたか等のその絵に関する非常に簡潔な情報を提供する貼り札１１がある。貼り札１１には、メモリタグ１２がある。
【００２２】
図２においてデータの集合Ｉとして表されるように、絵１０に関するはるかに多くの情報が入手可能である。その情報Ｉの第１の比較的小さい部分Ａは、メモリタグ１２に格納され、その情報Ｉの第２のはるかに大きい部分Ｂは、画廊において、すなわちメモリタグ１２の付近で無線ローカルエリアネットワーク（ＷＬＡＮ）のノード１４を介してアクセス可能な主データ記憶装置１３に格納されている。また、メモリタグ１２は、データの第１の部分Ａとともに、情報の第２の大きい方の部分のアドレスも格納している。
【００２３】
画廊におり、その絵に関するさらなる情報にアクセスしたい人は、メモリタグリーダ１６と、画面１７と、通信ユニット１８と、プロセッサおよびメモリユニット１９とを有する表示装置１５を必要とする。
【００２４】
ユーザは、メモリタグ１２の近傍に表示装置１５を保持し、表示装置１５内のメモリタグリーダ１６が、メモリタグ１２に結合して、そこに格納されたデータ、すなわち情報Ｉの第１の部分Ａと情報Ｉの第２の部分Ｂのアドレスとを取得して、それをプロセッサおよびメモリユニット１９に格納するようにする。そして、情報Ｉの第１の部分Ａは、表示装置１５の画面１７に表示され、それによりユーザの関心が維持され、その間、通信ユニット１８は、ノード１４を介してＷＬＡＮに接続し、メモリタグ１２から同様に取得された情報Ｉの第２の部分Ｂのアドレスを使用して、主データ記憶装置１３から情報Ｉの第２のより大きい部分Ｂを取得し、それもプロセッサおよびメモリユニット１９に格納する。このように、ユーザは、情報Ｉが画面１７に表示され始める前に遅延を体験することなく、情報Ｉの第１の部分Ａが表示されている間に情報Ｉの第２の部分Ｂにアクセスされることによりすべての情報をシームレスに見る。したがって、ユーザが情報Ｉにアクセスすることができる際に遅延がなく、それを見ることへのユーザの関心は、表示が開始する前に衰えることがなく、それでもなお、メモリタグ１２に局所的に格納されるにはデータの量が非常に多すぎるという事実にも係らず、ユーザは中断なく情報Ｉのすべてを見る。
【００２５】
本発明によるこの第１の方法を、図５のフローチャートに示す。
【００２６】
メモリタグ１２は、リーダが情報の第１の部分Ａとともに取得されたアドレスを使用して後の方のデータ（情報Ｉの第２の部分Ｂ）を取得するために主データ記憶装置１３に接続している間に表示される、表示されるべき最初のデータ（情報Ｉの第１の部分Ａ）を含むという意味で、バッファとして作用している。情報Ｉの第１の部分Ａは、情報Ｉの第２の部分Ｂを表示することができるようになるまでユーザを楽しませて関心を持たせ続けるために十分なデータを含んでいなければならないので、さらなる情報のための単なるアドレスまたは単なる参照以上のものでなければならない。
【００２７】
メモリタグ１２に格納されているデータは、多くの使用において、（何日か、何週間かまたは何ヶ月も）比較的長期間変化しないままである可能性がある。変更が必要である場合には、異なるデータが格納された新たなメモリタグ１２にメモリタグ１２を置き換えてもよく、または、メモリタグが読出しとともに書込みができる種類のものである場合には、メモリタグ１２のデータを必要に応じて上書きしてもよい。
【００２８】
ここで、本発明を実施するために必要な装置と、メモリタグ１２と、表示装置１５内のリーダ１６とについて、より詳細に説明する。
【００２９】
メモリタグは、データを格納して無線通信によりデータを読み出すメモリを有する小型デバイスである。デバイスのあるものは、読出し専用であって、製造時にデータが書き込まれその後変更することができない。また、読出し／書込みデバイスであって、データを読み出すとともに書き込むことができるデバイスもある。さまざまな形態のメモリタグが知られており、電源を有するものもあれば、リーダによって誘導的に電力が供給されるものもある。
【００３０】
よく知られたメモリタグの１つの形態は、無線周波数識別（radio frequency identification：以下、「ＲＦＩＤ」とよぶ）タグである。ＲＦＩＤタグは、多くの形態があるが、そのすべてが、使用時にデータを格納することができる集積回路と、集積回路に対して、それに誘導（無線）リンクによって電力も供給するリーダが問い合わせできるようにするコイルとを含む。メモリタグに格納されたデータは、一般に、リーダがメモリタグに結合すると即座にアクセス可能であるが、データが利用可能になる前に認証が必要であるようにセキュリティ機能を有するシステムが知られている。本発明は、通常、情報が認証なしに即座にアクセス可能である種類のメモリタグを利用する。
【００３１】
一般に、よく知られた形態のＲＦＩＤタグは、１３．５６ＭＨｚという周波数で動作しており必要なコイルのサイズが大きいことから、極めて大きい。それらは。広い範囲にわたって動作して記憶容量も非常に小さい。さまざまな周波数において動作するがそれでもなお記憶容量が小さい、より小型のＲＦＩＤタグも開発されている。ＲＦＩＤタグによっては、リードオンリメモリ（ＲＯＭ）を有し、製造時に書込みがなされるものもあるが、読書き能力を有するものもある。オフィス内のファイル・トラッキングのため等の極めて単純な用途として、または、製品識別およびサプライチェーン管理のためのバーコードの代りもしくはそれに加えて、ＲＦＩＤタグが使用される傾向にある。
【００３２】
図３を参照すると、メモリタグ１２の概略図が示されている。メモリタグ１２は、チップに設けられたＲＦＩＤメモリタグであり、ＲＦＩＤトランスポンダ回路２１と、メモリ２９と、電源コンデンサ２２と、巻き数が数回、たとえば５回しかないかまたはこの場合単巻きとしてのアンテナコイル２３とを含む。ＲＦＩＤトランスポンダ回路２１は、２．４５ＧＨｚで動作し、面積はおよそ０．５ｍｍ2である。このＲＦＩＤトランスポンダ回路２１については後述する。メモリ２９は、１Ｍビットの容量の不揮発性メモリを提供し、面積がおよそ１ｍｍ2であり、ＦＲＡＭ（強誘電性ランダムアクセスメモリ）メモリ技術、ＭＲＡＭ（磁気抵抗ランダムアクセスメモリ）メモリ技術、または必要な電力が低い同様のメモリ技術を使用する。
【００３３】
ここで図４を参照すると、メモリタグ１２の回路とリーダ１６の回路２０とが、従来の部品識別（Ｃ−コンデンサ、Ｌ−インダクタンス、Ｒ−抵抗器、Ｄ−ダイオード、Ｓ−スイッチ）を用いて概略的に示されている。メモリタグ１２は、（２２で参照される）コンデンサＣ２を含むＲＦＩＤトランスポンダ回路２１を有する。コンデンサＣ２は、（２３で参照される）アンテナコイルＬ２と組み合わせて共振回路を形成し、部品値は、リーダ１６との誘導結合のためにその組合せを約２．４５ＧＨｚに同調するように選択される。トランスポンダ回路２１の電源に関与する部分は、（２４で参照される）ダイオードＤ１と（２５で参照される）コンデンサＣ４とであり、ダイオードＤ１（２４）は、誘導結合によって生成された交流を整流し、コンデンサＣ４（２５）は、電源貯蔵庫としての役割を果たす。トランスポンダ回路２１の、リーダ１６から送信データを受信することに関与する部分は、（２６で参照される）ダイオードＤ２と、（２７で参照される）コンデンサＣ５と、（２８で参照される）抵抗器２１とであり、それらは単純な包絡線検波器を形成する。このようにして受信されたデータは、メモリ２９に格納される。トランスポンダ回路２１の、メモリ２９からのデータの読出しに関与する部分は、（３０で参照される）スイッチＳ１および（３１で参照される）コンデンサＣ３と組み合わされた同調回路Ｌ２／Ｃ２（２２、２３）であり、Ｓ１（３０）を用いてＣ３（３１）を回路の内外に切り替えることにより、同調回路Ｌ２／Ｃ２（２２、２３）の共振が変化し、メモリタグ１２からリーダ１６への反射電力の位相が変調する。
【００３４】
リーダ１６の回路２０は、２．４５ＧＨｚという選択された周波数で信号を生成する信号発生器３２を含む。この信号は、メモリタグ１２に書き込まれるデータで振幅変調される振幅変調器３３とスプリッタ３４とを介して、同調回路を形成する（３５で参照される）アンテナＬ１と（３６で参照される）コンデンサＣ１とに進む。Ｌ１（３５）とＣ１（３６）との部品値は、メモリタグ１２の同調回路と同様に、２つの回路間の誘導結合、つまりメモリタグ１２への電力およびデータの伝送を最大化するために、同調回路を２．４５ＧＨｚに同調するように選択される。
【００３５】
スプリッタ３４は、基準信号として使用するために、振幅変調済み信号の一部（電力の５０％程度）を取得し、それを乗算器３７に渡す。メモリタグ１２から同調回路Ｌ１／Ｃ１（３５、３６）を介して受け取り結合器３８によって出力信号から分割された信号もまた、乗算器３７に渡される。このように、送信された振幅変調済み信号と受信信号とが乗算され、その後ローパスフィルタ３９を通過して、メモリタグ１２からの位相変調を含みそのためメモリタグ１２から読み出されたデータを示す信号を提供する。そして、この信号は、画面１７に適当な時に表示される前に、表示装置１５のメモリ１９に渡される。
【００３６】
送信されるデータを２．４５ＧＨｚ信号に適用するために使用できる１つの振幅変調フォーマットは、回路２１に描かれている単純な包絡線検波器Ｄ２／Ｃ５（２６、２７）のみが必要な振幅偏移変調（amplitude shift keying：ＡＳＫ）である。しかしながら、他の振幅変調フォーマットを採用してもよい。さらなる代替形態は、いかなる有意な振幅変調もない、略定包絡線変調を提供する、周波数偏移変調（frequency shift keying：ＦＳＫ）および位相偏移変調（phase shift keying：ＰＳＫ）であるが、これらのオプションには、より複雑な復調要件があるため、メモリタグ２１により複雑な回路が必要となる。
【００３７】
上述したメモリタグ１２およびリーダ１６の装置により、リーダ１６とメモリタグ１２とのそれぞれのアンテナＬ１（３５）とアンテナＬ２（２３）との間の距離が約１．８ｍｍで、約２５％の電力伝送を達成することができる。これは、メモリタグ１２に対しそれが動作するために必要なだけの電力を伝送するために十分である。
【００３８】
上述したメモリタグ１２は２．４５ＧＨｚで動作するが、本発明を実施するために他の周波数で動作するメモリタグを使用してもよいということを理解すべきである。メモリタグのための動作周波数の選択に影響する要素は、ａ）無線周波数伝送に関する政府規制と、ｂ）（政府規制と一致する）適当な帯域幅と、ｃ）メモリタグの部品の物理的なサイズを、必要な珪素の面積を低く（つまり製造原価を低く）抑えるために十分小さくするのに十分高い周波数と、ｄ）低コスト高容量のＣＭＯＳ技術を使用してメモリタグを製造する場合に、適当な性能を提供するために十分低い周波数とである。
【００３９】
表示装置１５は、絵が展示される画廊によって提供され、特に、その画廊に訪れている人々が、そこに表示され、または売り出されている美術品に関するさらなる情報を取得することができるようにするデバイスでありうる。別法として、表示装置１５は、実際には、追加としてリーダ１６を組み込んだ携帯電話等の画廊に訪れる人が所有するデバイスでありうる。多くの電話は、赤外線またはＢｌｕｅｔｏｏｔｈにより他の電子機器とリンクする機能をすでに有するため、必要な通信ユニットはその形態のものでありうる。しかしながら、電話は、情報Ｉの第２の部分Ｂが上述したＷＬＡＮ等のローカルネットワークに保持されていない場合には、それを取得するために、必用な接続をたとえばインターネットを介して行うために、実際にダイヤルする場合がある。この後者の場合には、通信は、都合のよいことには、ＧＰＲＳ（汎用パケット無線サービス（General Packet Radio Service））または３Ｇ（第三世代）モバイルリンク等の既知の通信規格を介するものでありうる。
【００４０】
本発明を使用することができる場所には他の多くの例がある。たとえば、商店において、人々が、売られている品目、恐らくは、高価なワイン、電子機器、家具、旅行等の高価な品目に関するさらなる情報を取得するという例である。かかる小売りの状況では、顧客の注意持続時間は極めて短い傾向にあり、したがって、ユーザが見たい情報を表示する際のいかなる遅延によっても、ユーザがそれを見ずに立ち去ることになる可能性があり、売れる可能性のあったものが売れない場合がある。メモリスポットにある情報Ｉの第１の部分Ａは、見込み客の注意を捕らえるために、第２の部分Ｂがアクセスされている間に即座にアクセス可能であるが、明らかに、見込み客の注意をつかんで維持するために十分興味深いデータを十分に含んでいなければならない。システムが、情報Ｉの第１の部分を局所的に記憶しておらず、メモリタグ１２に格納された情報Ｉのアドレスのみを有するように企図された場合には、無線接続を介してインフラストラクチャから完全な情報Ｉをダウンロードするための初期セットアップ時間は、多くの場合、見込み客の注意持続時間より長くなる。本発明は、小売店が顧客の初期購入衝動を利用することができるように、顧客の注意を捕らえて維持する。
【００４１】
また商店では、見込み客が、ＣＤ、ＤＶＤ等からの短いクリップを見ることができてもよい。また、不動産会社において、売りに出されている家に関するさらなる詳細を提供するために本発明を使用してもよく、このさらなる情報は、見込み客がその家をより容易に正しく評価するのを助け、見込み客がそれを見たい気持ちになるようにする短いビデオクリップを含みうる。
【００４２】
好ましくは、メモリスポット１２は、データを読み出すとともに書き込むことができるものであり、それにより、情報Ｉ全体が変化しそれによりその第１の部分Ａも変化した場合に、必用に応じてデータを更新することができる。データが誤って上書きされないように、一般ユーザが使用する表示装置１５は、メモリタグ１２にデータを書き込むことはでずデータを読み出すことができるだけである。しかしながら、情報システムを管理する人には、この目的のためにメモリタグ１２に書き込むことができる別のデバイスが利用可能である。代替システムでは、ユーザが使用する表示装置１５は、情報Ｉに対してメモリタグ１２がアクセスされる回数を監視するためにカウンタをインクリメントするためだけであっても、メモリタグ１２を更新することができることが望まれる場合もある。
【００４３】
明らかに、常にシステム管理者によって更新が可能であるように主データ記憶装置１３に情報Ｉの第２の部分Ｂが格納される場合には、必要である限り情報Ｉの第２の部分Ｂを更新することができる。
【００４４】
本発明を商用に使用することができる別の方法では、将来への「試供品（taster）」として、支払いなしで情報Ｉの第１の部分Ａをユーザに提供するが、情報Ｉの第２の部分Ｂはユーザが支払いを行った後にのみ解放するというものである。本発明によるこの第２の方法を図６のフローチャートに示す。必用な装置は依然として図１に示すようなものであるが、この場合には、ユーザは、情報Ｉの第１の部分Ａを見た時、情報Ｉの第２の部分Ｂを購入すべきか否かを判断する。ユーザが情報Ｉの第２の部分Ｂを購入することを決めると、通信ユニット１８は、情報Ｉの第２の部分Ｂのアドレスに、すなわちノード１４に、クレジットカードに支払いを請求する権限等の支払いとともに注文を送信する。そして、情報Ｉの第２の部分Ｂが主データ記憶装置１３から取り出され、ノード１４から表示装置１５に送信される。そこで、それが画面１７に表示されてもよく、および／または、後に使用または表示するためにプロセッサおよびメモリユニット１９に格納される。
【００４５】
この第２の実施形態は、非常に多種多様の環境において用途がある。たとえば、音楽ショップにおいて、情報Ｉの第１の部分Ａが音楽アルバムのトラックからサンプルであってもよく、情報Ｉの第２の部分Ｂがアルバムの内容全体であってもよい。別の例では、情報Ｉの第１の部分Ａは映画またはテレビシリーズの予告編であってもよく、情報Ｉの第２の部分Ｂは映画全体またはテレビシリーズからの１以上の番組であってもよい。さらに別の例では、情報Ｉの第１の部分Ａは低解像度の写真または地図であってもよく、情報における第２の部分Ｂは高解像度の同じ写真または画像であってもよい。
【図面の簡単な説明】
【００４６】
【図１】本発明による電子データを格納しそれにアクセスする方法を示す図である。
【図２】電子データを概略的に示す図である。
【図３】本発明の方法で使用するＲＦＩＤメモリタグを示す図である。
【図４】図２のメモリタグおよびメモリタグと無線通信するための読出し／書込みデバイスの回路を示す図である。
【図５】本発明による第１の方法のフローチャートである。
【図６】本発明による第２の方法のフローチャートである。
【図１】
2005310141.tif 000003
【図２】
2005310141.tif 000004
【図３】
2005310141.tif 000005
【図４】
2005310141.tif 000006
【図５】
2005310141.tif 000007
【図６】
2005310141.tif 000008